(57)【要約】【課題】電子機器筐体の固定の際に無駄なスペースを必要とせず、かつ容易に電子機器筐体をラックの棚に固定することが可能な電子機器筐体固定装置を提供する。【解決手段】ラックの棚２には、前方に切り起こしを有する円弧部、後方に装着部が設けられたＤ型形状の穴６と、筐体１をラックの棚２に載置して後方にスライドする際に、滑りやすいように棚２の上面に穴６を除いて貼り付けられるシート７と、設置後、筐体１が外れることを防ぐ押さえ金具８と、押さえ金具８を棚２の前面部のタップ穴１１に固定するネジ１０と、筐体１を棚２に固定後、押さえ金具８を縦に起こした際に押さえ金具８が回転しないよう防ぐ押さえ金具８に設けられた突起９とが備え付けられている。また筐体１には、Ｄ型形状の穴６に装着するときに、ガイドとなるように斜めに切り欠きが施された、主に樹脂によって作製された４つの脚５が設けられている。【選択図】    図１
2004253709.tif 000002
【特許請求の範囲】
【請求項１】
筐体底面に切り欠きが設けられた脚を有する電子機器筐体をラックの棚に固定するとき、前記ラックの棚に前記脚の前記切り欠きを装着するＤ型の穴部を設け、前記切り欠きを前記穴部に装着し前記電子機器筐体を前記ラックの棚に固定したことを特徴とする電子機器筐体固定装置。
【請求項２】
筐体底面に切り欠きが全周に設けられた脚を有する電子機器筐体をラックの棚に固定するとき、前記ラックの棚に前記脚の前記切り欠きを装着する瓢箪型の穴部を設け、前記切り欠きを前記穴部に装着し前記電子機器筐体を前記ラックの棚に固定したことを特徴とする電子機器筐体固定装置。
【請求項３】
前記穴部に切り起こしを設けたことを特徴とする請求項１の電子機器筐体固定装置。
【請求項４】
前記穴部周辺を除いて前記ラックの棚の上面に滑りやすいシートを貼り付けたことを特徴とする請求項１乃至請求項３のいずれかに記載の電子機器筐体固定装置。
【請求項５】
前記ラックの棚前面で前記筐体設置の邪魔にならない位置に押さえ金具を仮留め可能とするネジ部を設け、前記筐体の設置後は前記ネジ部を締め付けて前記押さえ金具を縦に固定することを特徴とする請求項１乃至請求項４のいずれかに記載の電子機器筐体固定装置。
【請求項６】
前記押さえ金具の前記ネジ部に対向する位置に突起を形成し、前記ネジ部によって前記押さえ金具を締結した後は前記突起が前記ラックの棚に当接して前記押さえ金具の回転を抑止することを特徴とする請求項５に記載の電子機器筐体固定装置。
【請求項７】
筐体底面に凹部が設けられた脚を有する電子機器筐体をラックの棚に固定するとき、前記ラックの棚に前記脚の前記凹部を装着するＺ型の取付金具を設け、前記凹部を前記取付金具に装着し前記電子機器筐体を前記ラックの棚に固定したことを特徴とする電子機器筐体固定装置。
【請求項８】
筐体底面に切り欠きが全周に設けられた脚を有する電子機器筐体をラックの棚に固定するとき、前記ラックの棚に前後に円弧状の把持部で前記脚の前記切り欠きを把持し弾性を持つ左右対称のアームを設け、前記アームは前記ラックの棚に植立されたピンを軸にして回転可能にされ、前記切り欠きを前記アームに装着し前記電子機器筐体を前記ラックの棚に固定したことを特徴とする電子機器筐体固定装置。
【請求項９】
前記切り欠きの全周に当接する前記アームに傾斜部と突起部を設け、前記切り欠きを前記アームに装着する際に、前記アームの前記傾斜部が前記切り欠きに当接しガイドしながら前記切り欠きを前記把持部に把持させ、把持させた後は前記アームの前記突起部により固定することを特徴とする請求項８に記載の電子機器筐体固定装置。
【発明の詳細な説明】
【０００１】
【発明の属する技術分野】
本発明は、卓上にも、またラックの棚にも設置することが可能な電子機器筐体を、ラックの棚に簡単に実装することができるようにした電子機器筐体固定装置に関する。
【０００２】
【従来の技術】
従来、卓上にも、またラックの棚にも設置することが可能な電子機器筐体を、ラックの棚に実装する場合、ベルトにより固定する電子機器筐体固定方法が知られている。
【０００３】
しかし、かかる先行技術は、文献公知発明に係るものでないため、記載すべき先行技術文献情報はない。
【０００４】
図１３は、文献公知発明に係るものでない従来の電子機器筐体固定装置の構成を示す正面図である。図１３において従来の電子機器筐体固定装置は、電子機器筐体１をラックの棚２の底床位置の２点で固定されるベルト４で締め付け固定する構成を有しており、４つの脚部５を有する電子機器筐体１は、ラックの棚２に置いた後、ラックの棚２に取り付けられているベルト４で電子機器筐体１の上辺を締め付けることにより、ベルト圧接で固定する。
【０００５】
【発明が解決しようとする課題】
しかしながら、図１３に示した従来の電子機器筐体固定装置においては、電子機器筐体１の左右側にベルト４で固定するスペースが必要となり、また、そのスペースを取ったとしても作業性が悪く、ベルト４で固定したつもりでも完全には固定できず固定が不安定であるという問題を有していた。
【０００６】
本発明は、上記従来の問題を解決するもので、電子機器筐体の固定の際に無駄なスペースを必要とせず、かつ容易に電子機器筐体をラックの棚に固定することが可能な電子機器筐体固定装置を提供することを目的とする。
【０００７】
【課題を解決するための手段】
本発明の電子機器筐体固定装置は、筐体底面に切り欠きが設けられた脚を有する電子機器筐体をラックの棚に固定するとき、前記ラックの棚に前記脚の前記切り欠きを装着するＤ型の穴部を設け、前記電子機器筐体の前記脚に設けられた前記切り欠きを前記Ｄ型の穴部に装着し前記電子機器筐体を前記ラックの棚に固定できるようにした構成を有する。この構成により、無駄なスペースを必要とせず、かつ容易に電子機器筐体をラックの棚に固定することができる。
【０００８】
また、本発明の電子機器筐体固定装置は、筐体底面に切り欠きが全周に設けられた脚を有する電子機器筐体をラックの棚に固定するとき、前記ラックの棚に前記脚の前記切り欠きを装着する瓢箪型の穴部を設け、前記電子機器筐体の前記脚に設けられた前記切り欠きを前記瓢箪型の穴部に装着し前記電子機器筐体を前記ラックの棚に固定できるようにした構成を有する。この構成により、無駄なスペースを必要とせず、かつ容易に電子機器筐体をラックの棚に固定することができる。
【０００９】
また、本発明の電子機器筐体固定装置は、前記穴部に切り起こしを設けるようにした構成を有している。この構成により、筐体の脚を棚の穴部に装着時、切り起こしが脚のガイドの役割をし、かつ脚への傷を防止することができる。
【００１０】
また、本発明の電子機器筐体固定装置は、前記穴部周辺を除いて前記ラックの棚の上面に滑りやすいシートを貼り付けるようにした構成を有している。この構成により、筐体を棚上で容易にスライドさせることができ、また、傷防止の役目も果たすことができる。
【００１１】
また、本発明の電子機器筐体固定装置は、前記ラックの棚前面で前記筐体設置の邪魔にならない位置に押さえ金具を仮留め可能とするネジ部を設け、前記筐体の設置後は前記ネジ部を締め付けて前記押さえ金具を縦に固定するようにした構成を有している。この構成により、筐体設置後、ネジによって縦に起こされた状態で固定された押さえ金具によって、電子機器筐体を棚から外れないようにすることができる。
【００１２】
また、本発明の電子機器筐体固定装置は、前記押さえ金具の前記ネジ部に対向する位置に突起を形成し、前記ネジ部によって前記押さえ金具を締結した後は前記突起が前記ラックの棚に当接して前記押さえ金具の回転を抑止する構成を有している。この構成により、ネジによる棚への締結後は突起により押さえ金具の回転を抑止することができる。
【００１３】
また、本発明の電子機器筐体固定装置は、筐体底面に凹部が設けられた脚を有する電子機器筐体をラックの棚に固定するとき、前記ラックの棚に前記脚の前記凹部を装着するＺ型の取付金具を設け、前記電子機器筐体の前記脚に設けられた前記凹部を前記Ｚ型の取付金具に装着し前記電子機器筐体を前記ラックの棚に固定できるようにした構成を有する。この構成により、無駄なスペースを必要とせず、かつ容易に電子機器筐体をラックの棚に固定することができる。
【００１４】
また、本発明の電子機器筐体固定装置は、筐体底面に切り欠きが全周に設けられた脚を有する電子機器筐体をラックの棚に固定するとき、前記ラックの棚に前後に円弧状の把持部で前記脚の前記切り欠きを把持し弾性を持つ左右対称のアームを設け、前記アームは前記ラックの棚に植立されたピンを軸にして回転可能にされ、前記電子機器筐体の前記脚に設けられた前記切り欠きを前記アームに装着し前記電子機器筐体を前記ラックの棚に固定できるようにした構成を有する。この構成により、無駄なスペースを必要とせず、かつ容易に電子機器筐体をラックの棚に固定することができる。
【００１５】
また、本発明の電子機器筐体固定装置は、前記切り欠きの全周に当接する前記アームの傾斜部と突起部を設け、前記切り欠きを前記アームに装着する際に、前記アームの前記傾斜部が前記切り欠きに当接しガイドしながら前記切り欠きを前記把持部に把持させ、把持させた後は前記アームの前記突起部により固定するようにした構成を有している。この構成により、脚をアームに装着する際に、傾斜部がガイドの役割をし、装着を容易にし、突起部はアームが脚から外れてしまうことを防ぐことができる。
【００１６】
【発明の実施の形態】
以下、本発明の実施の形態について、図面を用いて説明する。
【００１７】
（第１の実施の形態）
図１は、本発明の第１の実施の形態に係る電子機器筐体固定装置の構成を示す分解斜視図である。図１においてラックの棚２には、図３にその詳細が示されるような、前方に切り起こしを有する円弧部６ｂ、後方に装着部６ａが設けられたＤ型形状の穴６と、電子機器筐体１をラックの棚２に載置して後方にスライドする際に、滑りやすいように棚２の上面に穴６を除いて貼り付けられるシート７と、設置後、筐体１が外れることを防ぐ押さえ金具８と、押さえ金具８を棚２の前面部のタップ穴１１に固定するネジ１０と、筐体１を棚２に固定後、押さえ金具８を縦に起こした際に押さえ金具８が回転しないよう防ぐ押さえ金具８に設けられた突起９とが備え付けられている。
【００１８】
また電子機器筐体１には、図１においてＤ型形状の穴６に装着するときに、図２にその詳細が示されるような、ガイドとなるように斜めに切り欠き５ａが施された、主に樹脂によって作製された４つの脚５が設けられている。
【００１９】
以上のように構成された電子機器筐体固定装置について、図６を用いて固定方法を説明する。まず、電子機器筐体１を棚２のＤ型形状の穴６の前方に位置する円弧部６ａに入るように棚２の上方から挿入する。そして筐体１をＤ型形状の穴６を有する棚２に載置した後に、筐体１を棚２の後方に押し込む。
【００２０】
この時、棚２上面には滑りやすいシート７が貼り付けてあるため、筐体１を後方に容易に押し込むことができる。また、穴６に設けられた切り起こしによって、筐体１に設けた脚５のガイドがなされ、またガイドしながら脚５を押し込む際に脚５に対する傷を付けることを防ぐことができる。
【００２１】
すなわち筐体１の脚５をＤ型形状の穴６に挿入する時に、図６に示すように、Ｄ型形状の穴６の後方の装着部６ｂが、筐体１の底面に固着された脚５の斜めに施された切り欠き５ａによってガイドされながら装着されて固定される。
【００２２】
さらに、押さえ金具８は筐体１が棚２に固定される前は図５（ａ）のように横に取り付けられているが、筐体１を棚２に固定後は、ネジ１０を緩めて、図５（ｂ）のように押さえ金具８を９０度回転させ、押さえ金具８を縦に起こし再度、ネジ１０を締めて固定する。このとき、押さえ金具８に設けられた突起９（図５（ｃ）参照）によって、押さえ金具８の回転を抑止する。このことにより、押さえ金具８を９０度縦に起こすことにより、筐体１が前方に外れてしまうのを防ぐことができる。
【００２３】
このような本発明の第１の実施形態によれば、ラックの棚２に脚５の切り欠き５ａを装着するＤ型の穴部６を設け、筐体１の脚５に設けられた切り欠き５ａをＤ型の穴部６に装着し筐体１をラックの棚２に固定できるようにしたことにより、筐体１を棚２の上下方向、左右方向に固定することができ、押さえ金具８を縦に起こすことにより、筐体１が棚２から外れることを防ぐことができる。
【００２４】
なお、以上の説明では、脚として切り欠き５ａを設けた脚５を筐体１の底面に固着し、ラックの棚２に脚５を装着する穴部をＤ型形状の穴６で構成した例について説明したが、その他の例として、筐体１に固着する脚を、図７に示されるように全周に切り欠き２１ａが設けられた脚２１にし、ラックの棚２に脚２１を装着する穴部を図４に示されるような瓢箪型の穴１２で構成するようにしても同様に実施可能である。
【００２５】
またその他の例として、筐体１に固着する脚を、図９に示されるように台形型の切り欠き１３ａが設けられた脚１３にし、ラックの棚２に脚１３を装着する部材として図８に示すようにＺ型の取付金具１４で構成するようにしても同様に実施可能である。
【００２６】
（第２の実施の形態）
図１０は、本発明の第２の実施の形態に係る電子機器筐体固定装置の構成を示す組立て斜視図である。図１０においてラックの棚２には、たわみ防止のための脚１６をそれぞれ有し、左右対称の棒状の弾性を有する樹脂等で作製されたアーム１５と、アーム１５を１点で回転する軸となるように棚２に植立されたピン１８とが備え付けられている。
【００２７】
また電子機器筐体１には、図７に示されるような全周に切り欠き２１ａが設けられている脚２１が筐体１の底面に固着されている。
【００２８】
なお、図１１（ａ）に示されるようにアーム１５には、脚２１の全周に設けた切り欠き２１ａの内側部、すなわち中軸部２１ｂ（図７（ｃ）参照）をアーム１５から外れにくくするための突起部２０と傾斜部１９とが設けられており、装着作業を開始することで傾斜部１９が中軸部２１ｂに当接してガイドされながら脚２１をアーム１５にスムーズに装着させるようにしている。アーム１５により脚２１が装着された後は、突起部２０が中軸部２１ｂに喰い込んで脚２１をアーム１５から外れにくくする。また、脚２１をアーム１５に固定するとき、アーム１５に設けられた突片１７を内側に押す、つまり図１１（ｂ）の状態から図１１（ｃ）の状態に移行させる、ように操作することでアーム１５に内側（図１０の小矢印参照）へ弾性力を付与して脚２１を引き込むようにして固定することができる。また、図１１（ｂ）の状態から図１１（ｃ）の状態に移行させる際に、傾斜部１９が中軸部２１ｂに当接し、以後はアーム１５の撓みによる復元力が働いて中軸部２１ｂにガイドされながら中軸部２１ｂの最高点を乗り越えて図１１（ｄ）のように傾斜部１９が内側に回りこむ。
【００２９】
以上のように構成された電子機器筐体固定装置について図１１（ａ）〜図１１（ｄ）を用いて固定方法を詳しく説明する。まず、図１１（ａ）に示すように、左右に開かれたアーム１５の間に電子機器筐体１を載置し棚２の後方に挿入することにより、最初に筐体１の後ろの脚２１の切り欠き２１ａがアーム１５の後方の円弧状の一部に接触し、押すことになる。そのことによって図１１（ｂ）で示すように、棚２とアーム１５をリンクしているピン１８を軸として、アーム１５が回転し、傾斜部１９の先端が筐体１の前方の脚２１の切り欠き２１ａの内側部、すなわち中軸部２１ｂと接触して回転が止まる。
【００３０】
その後、左右の突片１７を持ち、内側に押すように操作することで図１１（ｃ）に示すように、アーム１５が撓むことにより、傾斜部１９が脚２１の中軸部２１ｂに当接し（図１２（ａ）参照）、アーム１５の弾性力によってガイドされながら傾斜部１９が脚２１の中軸部２１ｂの最高点を乗り越えて内側に回りこみ、突起部２０によりロックされる状態になる。
【００３１】
すなわちアーム１５の撓みによる復元力（図１１（ｃ）のような延びた状態から図１１（ｄ）のように縮んだ状態に復元する）によって、図１１（ｄ）および図１２（ｂ）に示すように、前後の脚２１の中軸部２１ｂ、つまりは脚２１の切り欠き２１ａを、アーム１５に設けた前後の円弧形状の把持部で把持することとなる。
【００３２】
以上のように本発明の第２の実施の形態によれば、前後に円弧状の把持部を持つ弾性を有する左右対称のアームで筐体の脚の切り欠きを把持することにより、筐体を棚に固定することができる。
【００３３】
【発明の効果】
以上のように本発明の電子機器筐体固定装置は、筐体底面に切り欠きが設けられた脚を有する電子機器筐体をラックの棚に固定するとき、前記ラックの棚に前記脚の前記切り欠きを装着するＤ型の穴部を設け、前記切り欠きを前記穴部に装着し前記電子機器筐体を前記ラックの棚に固定したものであり、このようにすることで、無駄なスペースを必要とせず、かつ容易に電子機器筐体をラックの棚に固定することができるという優れた効果を有する。
【図面の簡単な説明】
【図１】本発明の第１の実施の形態に係る電子機器筐体固定装置の構成を示す分解斜視図
【図２】（ａ）本発明の第１の実施の形態に係る筐体に固着する脚の構成を示す斜視図
（ｂ）本発明の第１の実施の形態に係る筐体に固着する脚の構成を示す平面図
（ｃ）本発明の第１の実施の形態に係る筐体に固着する脚の構成を示す断面図
【図３】本発明の第１の実施の形態に係る棚に設けられたＤ型形状の穴の構成を示す図
【図４】本発明の第１の実施の形態に係る棚に設けられた瓢箪型の穴の構成を示す図
【図５】（ａ）本発明の第１の実施の形態に係る棚前面に取付けられる押さえ金具の固着前の斜視図
（ｂ）本発明の第１の実施の形態に係る棚前面に取付けられる押さえ金具の固着後の斜視図
（ｃ）本発明の第１の実施の形態に係る棚前面に取付けられる押さえ金具の断面図
【図６】本発明の第１の実施の形態に係る電子機器筐体固定装置の構成を示す側面図
【図７】（ａ）本発明の第１の実施の形態に係る筐体に固着する脚の別の構成を示す斜視図
（ｂ）本発明の第１の実施の形態に係る筐体に固着する脚の別の構成を示す平面図
（ｃ）本発明の第１の実施の形態に係る筐体に固着する脚の別の構成を示す断面図
【図８】本発明の第１の実施の形態に係る電子機器筐体固定装置の別の構成を示す分解斜視図
【図９】（ａ）本発明の第１の実施の形態に係る筐体に固着する脚の更に別の構成を示す斜視図
（ｂ）本発明の第１の実施の形態に係る筐体に固着する脚の更に別の構成を示す平面図
（ｃ）本発明の第１の実施の形態に係る筐体に固着する脚の更に別の構成を示す断面図
【図１０】本発明の第２の実施の形態に係る電子機器筐体固定装置の構成を示す分解斜視図
【図１１】本発明の第２の実施の形態に係る電子機器筐体固定装置の固定方法を説明するための状態遷移図
【図１２】（ａ）図１１（ｃ）における一部拡大図
（ｂ）図１１（ｄ）における一部拡大図
【図１３】従来の電子機器筐体固定装置の構成を示す正面図
【符号の説明】
１    電子機器筐体
２    棚
４    ベルト
５    脚
５ａ  切り欠き
６    Ｄ型形状の穴
６ａ  装着部
６ｂ  円弧部
７    シート
８    押さえ金具
９    突起
１０  ネジ
１１  タップ穴
１２  瓢箪型形状の穴
１３  脚
１３ａ  切り欠き
１４  Ｚ型形状の取付金具
１５  アーム
１６  たわみ防止の脚
１７  突片
１８  ピン
１９  傾斜部
２０  突起部
２１  脚
２１ａ  切り欠き
２１ｂ  中軸部
【図１】
2004253709.tif 000003
【図２】
2004253709.tif 000004
【図３】
2004253709.tif 000005
【図４】
2004253709.tif 000006
【図５】
2004253709.tif 000007
【図６】
2004253709.tif 000008
【図７】
2004253709.tif 000009
【図８】
2004253709.tif 000010
【図９】
2004253709.tif 000011
【図１０】
2004253709.tif 000012
【図１１】
2004253709.tif 000013
【図１２】
2004253709.tif 000014
【図１３】
2004253709.tif 000015